(57)【要約】【課題】小型の装置であっても、操作に応じた所望の動作を行うこと。【解決手段】本開示に係る情報処理装置は、指紋情報を取得する指紋情報取得部と、  前記指紋情報に基づいて指の動作を判定する判定部と、判定された前記動作に基づいて、前記動作に応じて予め定められた所定の処理を行う処理部と、を備える。この構成により、小型の装置であっても、操作に応じた所望の動作を行うことが可能となり、ユーザーの利便性を高めることができる。【選択図】図２
2018079001.tif 000002
【特許請求の範囲】
【請求項１】
指紋情報を取得する指紋情報取得部と、
前記指紋情報に基づいて指の動作を判定する判定部と、
判定された前記動作に基づいて、前記動作に応じて予め定められた所定の処理を行う処理部と、
を備える、情報処理装置。
【請求項２】
前記判定部は、予め登録された登録指紋情報と前記指紋情報を比較することで、前記動作を判定する、請求項１に記載の情報処理装置。
【請求項３】
前記判定部は、前記指紋情報に基づいて指の傾きを判定する、請求項１に記載の情報処理装置。
【請求項４】
前記判定部は、指が傾いた状態で予め登録された登録指紋情報と前記指紋情報を比較して前記傾きを判定する、請求項３に記載の情報処理装置。
【請求項５】
前記指紋情報取得部は、指が接触する接触面を有する指紋センサーから前記指紋情報を取得し、
前記判定部は、前記指紋情報に基づいて前記接触面に沿った指の動きを判定する、請求項１に記載の情報処理装置。
【請求項６】
前記指紋情報取得部は、前記指紋情報を検出する複数の指紋センサーから前記指紋情報を取得し、
前記判定部は、複数の前記指紋センサーから検出された前記指紋情報に基づいて、前記動作を判定する、請求項１に記載の情報処理装置。
【請求項７】
前記判定部は、複数の前記指紋センサーから検出された前記指紋情報を比較することで、指の傾きを判定する、請求項６に記載の情報処理装置。
【請求項８】
前記指紋情報が予め登録された登録指紋情報と一致するか否かを認証する認証部を備え、
前記判定部は、前記認証が成功した場合に、前記判定を行う、請求項１に記載の情報処理装置。
【請求項９】
前記認証部は、前記指紋情報が前記登録指紋情報と一致するか否かに加え、入力されたパスワードが登録されたパスワードと一致するか否かに応じて前記認証を行う、請求項８に記載の情報処理装置。
【請求項１０】
前記処理部は、前記動作とともに前記指紋情報から得られる指の種類の情報に基づいて前記所定の処理を行う、請求項１に記載の情報処理装置。
【請求項１１】
前記判定部は、前記指紋情報と、前記指紋情報を検出する指紋センサー以外の他のセンサーから得られたセンサー情報に基づいて前記判定を行う、請求項１に記載の情報処理装置。
【請求項１２】
前記他のセンサーは、位置センサー、温度センサー、又は指圧センサーである、請求項１１に記載の情報処理装置。
【請求項１３】
前記所定の処理は、前記動作に応じて予め定められた所定のアプリケーションを起動する処理である、請求項１に記載の情報処理装置。
【請求項１４】
前記所定の処理は、前記動作に応じて予め定められた文字入力機能に関する処理である、請求項１に記載の情報処理装置。
【請求項１５】
前記所定の処理は、前記動作に応じて予め定められた表示画面を遷移させる処理である、請求項１に記載の情報処理装置。
【請求項１６】
前記判定部は、前記指紋情報に基づいて前記動作として指の押圧力を判定する、請求項１に記載の情報処理装置。
【請求項１７】
指紋情報を取得することと、
前記指紋情報に基づいて指の動作を判定することと、
判定された前記動作に基づいて、前記動作に応じて予め定められた所定の処理を行うことと、
を備える、情報処理方法。
【請求項１８】
指紋情報を取得する手段、
前記指紋情報に基づいて指の動作を判定する手段、
判定された前記動作に基づいて、前記動作に応じて予め定められた所定の処理を行う手段、
としてコンピュータを機能させるためのプログラム。
【発明の詳細な説明】
【技術分野】
【０００１】
本開示は、情報処理装置、情報処理方法及びプログラムに関する。
【背景技術】
【０００２】
従来、例えば下記の特許文献１には、装置本体に指紋検出照合機能を有するＩＣカードを装着することができるようにすることで、周辺機器の接続部が少ない情報処理装置にも簡単に指紋検出照合機能を加えることができる入力装置に関して記載されている。
【先行技術文献】
【特許文献】
【０００３】
【特許文献１】特許第３９５１９２０号公報
【発明の概要】
【発明が解決しようとする課題】
【０００４】
近年、ユーザの身体に装着するスマートウォッチなどのウェアラブル機器が普及している。ウェアラブル機器は、その手軽さ、携帯性、小型化などを追及していくことを考えると、ボタンなどの操作部はますます小さくなることが想定され、操作部が小さくなることによる操作性の低下が懸念される。【０００５】
そこで、小型の装置であっても、操作に応じた所望の動作を行うことが求められていた。
【課題を解決するための手段】
【０００６】
本開示によれば、指紋情報を取得する指紋情報取得部と、前記指紋情報に基づいて指の動作を判定する判定部と、判定された前記動作に基づいて、前記動作に応じて予め定められた所定の処理を行う処理部と、を備える情報処理装置が提供される。【０００７】
また、本開示によれば、指紋情報を取得することと、前記指紋情報に基づいて指の動作を判定することと、判定された前記動作に基づいて、前記動作に応じて予め定められた所定の処理を行うことと、を備える、情報処理方法が提供される【０００８】
また、本開示によれば、指紋情報を取得する手段、前記指紋情報に基づいて指の動作を判定する手段、判定された前記動作に基づいて、前記動作に応じて予め定められた所定の処理を行う手段、としてコンピュータを機能させるためのプログラムが提供される。
【発明の効果】
【０００９】
以上説明したように本開示によれば、小型の装置であっても、操作に応じた所望の動作を行うことが可能となる。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】ウェアラブル機器の一例としてのスマートウォッチを操作している様子を示す模式図である。
【図２】本実施形態に係るスマートウォッチの構成を示すブロック図である。
【図３】スマートウォッチで行われる処理を示すフローチャートである。
【図４】指紋情報取得部（指紋センサー）の配置と操作判別方法を説明するための模式図である。
【図５】指紋情報取得部（指紋センサー）の配置と操作判別方法を説明するための模式図である。
【図６】指紋情報取得部（指紋センサー）の配置と操作判別方法を説明するための模式図である。
【図７】ウェアラブル機器として、腕輪型デバイスの例を示す模式図である。
【図８】図４の例において、指の各位置を事前登録する様子を示す模式図である。
【図９】ＵＩの操作時の方法を示す模式図である。
【図１０】各指の指紋を登録する様子を示す模式図である。
【図１１】指の指紋と指紋情報取得部（指紋センサー）の表面が接触している状態を拡大して示す模式図である。
【図１２Ａ】図１１中の領域Ａを拡大した状態を示す模式図である。
【図１２Ｂ】図１１中の領域Ａを拡大した状態を示す模式図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．背景
２．スマートウォッチの構成例
３．スマートウォッチで行われる処理の例
４．指紋センサーの配置と操作判別方法
５．腕輪型デバイスの例
６．ＵＩの操作方法、指紋情報の登録
７．指紋判定に基づく各種処理
【００１３】
１．背景
近年、例えばスマートウォッチなどのウェアラブル機器が用いられるようになっている。図１は、ウェアラブル機器の一例として、本実施形態に係るスマートウォッチ１００を操作している様子を示す模式図である。スマートウォッチ１００は、タッチパネル１０６、指紋センサー１０２を有している。スマートウォッチ１００は、ユーザがタッチパネル１０６やボタン（不図示）を操作することで、ユーザが求める所望の動作、処理を行う。また、スマートウォッチ１００は、ユーザが指紋センサー１０２に指紋を当てることで、認証を行い、またユーザが求める所望の動作、処理を行う。
【００１４】
ウェアラブル機器は、手軽さ、携帯性、小型化などを追及していくことを考えると、その操作部はますます小さくなることが想定される。また、ウェアラブル機器に生体情報など重要な情報が蓄積されていくことを考えると、ウェアラブル機器にはより高いセキュリティが求められる。更に、ウェアラブル機器においても、文字入力などの複雑な入力操作や、より複雑な様々な機能を実現したいという要望がある。
【００１５】
セキュリティに関しては、指紋認証が広く用いられているが、例えば１本の指の指紋による個人認証では、機器の所有者が寝ている間に他人が所有者の指を機器に当てることで認証が通ってしまうといったセキュリティ上の課題がある。また、操作性に関しては、ウェアラブル機器のような小さい画面での文字入力や様々な機能の実現は、現状では困難が伴う。
【００１６】
本実施形態では、操作している指の種別や指の移動方向、指の動かし方（短押し／長押し、軽く押す／強く押す）等に応じて、ウェアラブル機器のような小さい画面での文字入力や様々な機能を実現できるようにするとともに、各機能やアプリを切り替え可能とする。また、認証に関しては、指紋認証と数字や文字によるパスワード入力を組み合わせることで高いセキュリティが確保できるようにする。以下、詳細に説明する。
【００１７】
２．スマートウォッチの構成例
図２は、本実施形態に係るスマートウォッチ１００の構成を示すブロック図である。スマートウォッチ１００は、指紋センサー１０２、その他のセンサー部１０４、タッチパネル１０６、制御部１１０、記憶部１２０を有して構成されている。指紋センサー１０２は、撮像により得られた画像から指紋に関する指紋情報を検出する。指紋センサー１０２は、静電容量から指紋情報を検出するものであっても良い。画像から指紋情報を検出する光学式の場合、指紋情報は指紋の形状を表す画像情報である。また、静電容量から指紋情報を検出する静電式の場合、指紋情報は指紋の凹凸に応じた静電容量である。また、指紋センサー１０２は、感熱式、電界式、圧力式など、他の方式により指紋を検出するものであっても良い。より具体的には、光学式は、プリズムやガラス面に指を置いて、指を置いた面の逆側から指の像をＣＣＤカメラなどで撮像することで指紋情報を検出する。静電式は、指紋センサー１０２に指を押し付けた際に、指紋の山（指紋の紋様を形成する皮膚の盛り上がった部分）と谷の電荷量の違いによって指紋情報を得る方法である。感熱式は、指紋センサー１０６の表面に接触する指紋の山の部分の温度（体温）と谷の温度（空気温度）の温度差を検知から指紋情報を得る方法である。電界式は、指の表面に流した微弱電流で生じた、指紋の山の部分と谷の部分との電界の強度の差から生ずる分布パターンを指紋情報とする方法である。タッチパネル１０６は、液晶表示ディスプレイ（ＬＣＤ）などの表示部とタッチセンサから構成される。スマートウォッチ１００は、音声により情報を出力するスピーカ等の構成要素を備えていても良い。その他のセンサー部１０４は、指紋センサー１０２以外のセンサーであって、例えばスマートウォッチ１００の位置情報を検出する位置センサー（ＧＰＳ）、指の温度を検出する温度センサー、指の押圧力を検出する圧力センサー等である。
【００１８】
制御部１１０は、スマートウォッチ１００の各種処理を行う構成要素であって、指紋情報取得部１１２、指紋情報登録部１１３、指紋照合部１１４、指紋判定部１１６、処理部１１８を含む。記憶部１２０は、登録した指紋情報を記録する登録指紋情報記録部１２２を有している。また、記憶部１２０には、スマートウォッチ１００に対応する各種アプリケーション１２４のプログラム、データが格納されている。なお、図２に示す制御装置１１０の構成要素は、回路（ハードウェア）、またはＣＰＵなどの中央演算処理装置とこれを機能されるためのプログラム（ソフトウェア）から構成されることができる。
【００１９】
指紋情報取得部１１２は、指紋センサー１０２が検出した指紋情報を取得する。指紋情報登録部１１３は、指紋情報取得部１１２が取得した指紋情報を登録指紋情報記録部１２２に登録する。指紋情報取得部１１２は、ユーザ毎に指紋情報を取得する。ユーザ毎の指紋情報には、右手、左手の各指の指紋の形状を示す指紋情報、各指を傾けた際の指紋情報などが含まれる。ユーザ毎の指紋情報は、登録指紋情報記録部１２２に登録される。指紋照合部１１４は、指紋センサー１０２が取得した指紋情報と、登録指紋情報記録部１２２に登録された指紋情報を照合し、認証を行う。指紋照合部１１４は、指紋情報に加えて、タッチパネル１０６から入力されたパスワードと、記憶部１２０に予め登録されているパスワードを照合して認証を行うこともできる。この場合、指紋情報とパスワードによる認証を併用することで、セキュリティを高めることが可能である。
【００２０】
指紋判定部１１６は、照合部１１４による認証が成功した場合に、指紋情報取得部１１２が取得した指紋情報と、登録指紋情報記録部１２２に登録された情報とに基づいて、指の種類や指の動作（指の操作）を判定する。登録指紋情報記録部１２２は、登録された指紋情報に対応する指の種類や指の動作に対応する情報と、スマートウォッチ１００が行う所定の処理とを紐付けて記録している。処理部１１８は、指紋判定部１１６の判定結果に基づいて、登録指紋情報記録部１２２に紐付けられた処理を参照し、アプリケーション１２４を起動したり、フォーカスを移動する処理など、スマートウォッチ１００が実行可能な所定の処理を行う。タッチパネル１０６には、処理の過程や結果が表示される。
【００２１】
３．スマートウォッチで行われる処理の例
図３は、スマートウォッチ１００で行われる処理を示すフローチャートである。先ず、ステップＳ１０では、指紋情報取得部１１２が、指紋センサー１０２から得られた指紋情報に基づいて、指紋センサー１０２に指が触れているか否かを判定し、指紋センサー１０２に指が触れている場合は、次のステップＳ１２で指紋情報を取得する。次のステップＳ１４では、指紋照合部１１４が、取得した指紋情報に基づいて、事前に登録指紋情報記録部１２２に指紋情報が登録されている指であるか否かを判定し、登録されている場合はステップＳ１６へ進む。ステップＳ１６では、指紋判定部１１６が、操作する指の判定（人差し指であるか、中指であるか等の判定）、指の動作の判定（位置、動き方向、傾き等の判定）を行う。
【００２２】
次のステップＳ１８では、処理部１１８が、ステップＳ１６で判定された操作する指の種類、指の動作に応じて、アプリケーション１２４の起動や機能の実行を行う。具体的には、操作する指の種類、動作に応じてアプリケーション１２４を起動したり、フォーカスを移動する処理などを行う。
【００２３】
次のステップＳ２０では、指紋情報取得部１１２が、ステップＳ１６で判定した指から変更があったか否かを判定し、変更があった場合はステップＳ１４に進み、以降の処理を再度行う。一方、変更がなかった場合は、ステップＳ１８の処理を引き続き行う。
【００２４】
また、ステップＳ１０で指紋センサー１０２に指が触れていないと判定された場合、またはステップＳ１４で事前登録された指ではないと判定された場合は、処理を終了する。
【００２５】
４．指紋センサーの配置と操作判別方法
図４〜図６は、指紋センサー１０２の配置と操作判別方法を説明するための模式図である。図４〜図６のそれぞれでは、上から順に、「指が指紋センサーに触れている状態を横から見た図」、「指が指紋センサーに触れている状態を下から見た図」、「操作判別方法を示す図」、のそれぞれを示している。
【００２６】
図４は、指紋センサーとして指２００の指紋２０２と同等の大きさの指紋センサー１０２ａを用い、指紋センサー１０２ａに接触した指２００の種類、動作によって、操作判別を行う場合を示している。図４に示す例では、指２００を傾けることで、操作判別を行う。この場合、指２００を傾けた際に、指紋２０２の一部が浮き上がり、「操作判別方法を示す図」の図に示すように、指２００の指紋２０２の一部分のみが検出される。そして、指２００の指紋２０２の一部分のみが検出されることによって、指２００を傾けた方向が認識される。これにより、指２００を傾けた方向に応じて、アプリケーション１２４を起動したり、フォーカスを移動するなどの所定の処理を行うことができる。図４に示す例によれば、指２００を傾けるだけで、指２００を動かさなくても所定の処理を行うことができる。また、指紋センサー１０２ａによる検出をトリガーとして、圧力センサーのような既存のセンサーと組み合わせて使うこともできる。この手法の利点として、光学式指紋センサーなど水に濡れても指紋パターンが読み取れるタイプの指紋センサーを利用すれば、例えば機器が水に濡れた状態での操作時や水中での操作時でも、通常のタッチパネルのように水と指の区別がつかないような事態は生じず、誤動作を起こすことがない点が挙げられる。
【００２７】
図５は、指の指紋よりも小さい指紋センサー１０２ｂを１つ用い、指紋センサー１０２ｂに接地した指、指の動きによって、操作判別を行う場合を示している。この場合、指２００を移動した際に、「操作判別方法を示す図」に示すように、指紋２０２の形状の動きに基づいて指２００がどの方向に動いたのかを判別することができる。より具体的には、制御周期毎に取得される指紋情報に基づいて、現時点で取得された指紋情報と１周期前に取得された指紋情報を比較することで、指がどの方向に動いたのかが判定される。この移動方向の判定には、同一の特徴点を追跡しその移動方向を算出することにより判定を行なってもよいし、画像全体としての相関が最大になる移動方向を算出することにより判定を行なってもよい。また前記特徴点として指紋のマニューシャ点や汗腺情報を利用してもよい。これにより、指２００を動かした方向に応じて、アプリケーション１２４を起動したり、フォーカスを移動するなどの所定の処理を行うことができる。図５に示す例によれば、指紋センサー１０２ｂを可能な限り小さくすることができ、小さい指紋センサー１０２ｂであっても指の動きを把握することが可能である。
【００２８】
図６は、指２００の指紋２０２よりも小さい指紋センサー１０２ｂを複数用い、複数の指紋センサー１０２ｂを必要な位置に配置し、指紋センサー１０２ｂに接触した指２００の種類、指２００の動きによって、操作判別を行う場合を示している。図６に示す例では、指紋センサー１０２ｂに触れた位置や割合によって、操作判別を行う。この場合、指２００を傾けた際に、「操作判別方法を示す図」に示すように、指紋２０２の一部が浮き上がるため、複数の指紋センサー１０２ｂの一部のみで指紋２０２が検出される。「操作判別方法を示す図」では、指２００を前に傾けた場合に、４つの指紋センサー１０２ｂのうち先端の指紋センサー１０２ｂのみで指紋の情報が検出される様子を示している。このように、複数の指紋センサー１０２ｂの一部のみで指紋が検出されることによって、指２００を傾けた方向が認識される。これにより、指２００を傾けた方向に応じて、アプリケーション１２４を起動したり、フォーカスを移動するなどの所定の処理を行うことができる。また、図６に示す例によれば、操作方法に合わせて複数の位置の異なる指紋センサー１０２ｂを組み合わせて使用することができる。
【００２９】
なお、図４及び図６に示す例においても、図５の例と同様に、指紋２０２の動きによって指がどの方向に動いたのかを判別することが可能である。
【００３０】
以上のように、図４〜図６に示す例によれば、指紋２０２を検出することによって、指２００の動作（動き方向、傾き）を検出することができる。従って、指２００の動作に応じてスマートウォッチ１００が所定の処理を行うことができる。
【００３１】
５．腕輪型デバイスの例
図７は、ウェアラブル機器として、腕輪型デバイス１００の例を示す模式図である。図７に示す例では、指紋センサー１０２として、複数の指紋センサー１０２ｃ，１０２ｄ，１０２ｅが腕輪型デバイス１００の外周面に設けられている。指紋センサー１０２ｃ，１０２ｄ，１０２ｅを異なる位置に配置し、指紋センサー１０２ｃ，１０２ｄ，１０２ｅに接触した指の種類、動作、その組み合わせによって操作判別を行う。この例では、異なる位置の指紋センサー１０２ｃ，１０２ｄ，１０２ｅをどの指のどの位置でタッチしたかによって操作判別する。例えば、左端の指紋センサー１０２ｃを人さし指で２回、真中の指紋センサー１０２ｄを中指で１回タッチすると、腕輪型デバイスで所定の処理が行われる。図７に示す例によれば、デバイスの形状にあわせて指紋センサーを配置することが可能である。図７のような腕に装着するデバイスであれば、腕輪の異なる位置に指紋センサーを設けることで、腕輪の異なる位置をタッチすることで所望の処理を実現できる。
【００３２】
図８は、図４の例において、指紋情報登録部１１３が指２００の各位置を事前登録する様子を示す模式図である。図８に示すように、指紋２０２の全面が指紋センサー１０２ａのセンサー面に密着したホームポジションで指紋情報を登録する。また、指２００を上に傾けた場合、右に傾けた場合、左に傾けた場合、下に傾けた場合、のそれぞれについて、指紋２０２の一部を登録する。登録した指紋情報は、登録指紋情報記録部１２２に記録される。指紋センサー１０２ａが画像により指紋情報を検出する場合は、図８に示すような画像が指紋情報として登録される。また、指紋センサー１０２ａが静電容量により指紋情報を検出する場合は、図８に示す指紋の形状に対応する静電容量の値が指紋情報として登録される。
【００３３】
６．ＵＩの操作方法、指紋情報の登録
図９は、ＵＩの操作時の方法を示す模式図である。先ず、ユーザがタッチパネル１０６にホームポジションでタッチすると、最初の文字(例：「１」)もしくは前回フォーカスした文字にフォーカスがあたる。この状態では、フォーカスした文字がタッチパネル１０６の中央に表示される。この状態で、図４に示したように、指紋センサー１０２ａ上に指２００を載せた状態で指２００を上下左右に傾けると、フォーカスが移動し、傾けた方向の文字がタッチパネル１０６の中央に表示される。そして、指２００がホームポジションの状態でリリースされると文字が決定される。このように、本実施形態によれば、指２００を傾けるだけで文字入力を行うことが可能となる。
【００３４】
図１０は、各指の指紋を登録する様子を示す模式図である。図１０に示すように、親指、人差し指、中指、薬指、小指のそれぞれの指紋２０２を登録する。図１０では、比較的大きな指紋センサー１０２を用い、複数の指２００の指紋情報を一度に登録する例を示している。図４〜図６に示したような小型の指紋センサー１０２を用いる場合は、１つの指２００毎に登録を行う。図８に示したように、ホームポジション、上下左右に傾けた場合、のそれぞれについて指紋情報を登録する。図１０に示すような大型の指紋センサー１０２を用いた場合、ウェアラブル機器とは別に指紋センサー１０２を備えるデバイスを用意し、当該デバイスが取得した指紋情報をウェアラブル機器１００へ送信して登録するようにしても良い。以上のようにして各指の指紋情報を取得すると、各指の指紋２０２は相違するため、指紋センサー１０２が検出した指２００の種類に応じて異なる処理を行うことができる。
【００３５】
そして、各指の指紋情報を登録することによって、各指に対応する処理、機能が設定される。例えば文字入力の場合、親指を認証した場合は大文字の全角数字を入力し、人差し指を認証した場合は小文字の半角数字を入力するなど、指の種類に応じた処理、機能が設定される。
【００３６】
図１１は、指２００と指紋センサー１０２の表面（接触面）が接触している状態を拡大して示す模式図である。また、図１２Ａ、図１２Ｂは、図１１中の領域Ａを拡大した状態を示す模式図であって、図１２Ａは指紋センサー１０２を指２００が押す際の押圧力が比較的小さい場合を示しており、図１２Ｂは押圧力が比較的大きい場合を示している。
【００３７】
図１２Ａに示すように、指紋センサー１０２を指２００が押す際の押圧力が比較的小さい場合は、指紋２０２の凸部分の先端が指紋センサー１０２の表面に接触する。一方、図１２Ｂに示すように、指紋センサー１０２を指２００が押す際の押圧力が比較的大きい場合は、指紋２０２の凸部分の先端が潰れて、指紋センサー１０２の表面に接触する。従って、指紋センサー１０２で取得した指紋情報に基づいて、指の押圧力を判定することができる。
【００３８】
従って、本実施形態によれば、指の種類、指の動き、指の傾き、指の位置のみならず、指が指紋センサー１０２を押す際の押圧力に応じて、アプリケーション１２４を起動したり、フォーカスを移動するなどの所定の処理を行うことができる。
【００３９】
７．指紋判定に基づく各種処理
以上のようにして、指紋情報に基づいて指の種類、動作が判定されると、これに基づいて、処理部１１８が、スマートウォッチ１００における各種処理を行う。指紋情報に基づく処理として、上述した文字入力の他、様々な処理に適用することができる。処理部１１８は、代表的な処理として、文字入力、アプリケーション１２４の起動、表示画面の遷移（スクロール）を行う。この際、処理部１１８は、指紋判定部１１６から指の種類、指の動作等に関する情報を取得し、これに基づいて登録指紋情報記録部１２２に記録されている、指の種類、指の動作等に応じて行う所定の処理を取得し、アプリケーション１２４と情報のやり取りを行う。これにより、指の種類、指の動作等に関する情報に基づいて、アプリケーション１２４を起動したり、文字入力に関する処理、表示画面の遷移等の処理が行われる。なお、処理部１１８が行う処理はこれらに限定されるものではなく、例えば以下の処理に適用することも可能である。
【００４０】
(1)操作する指によって機能やアプリケーションが切り替わる
(1-1)文字の種類が変わる。例えば、文字入力の際に、親指であれば大文字、人差し指であれば小文字、小指であれば数字など、指の種類に応じて文字の種類を変える。
・指の種類に応じてログインのメールアドレス、ＰＩＮコード入力などを行う。
(1-2)画面内のスクロール単位が変わる(上下方向)
・親指であれば画面切替スクロール、人差し指であれば通常の画面スクロールを行う。
(1-3)表示切替単位が変わる(左右方向)
・親指であればタブ切替、人差し指であれば画面内のスクロールを行う。
(1-4)再生コンテンツの切替え単位が変わる
・再生曲の場合、親指であればジャンル切替、人差し指だとアルバム切替、中指だと曲切替を行う。
・ラジオやＴＶなどの番組の場合、親指であればニュース、人差し指であればお笑い番組、中指であれば音楽番組を再生する。
(1-5)再生されているコンテンツに対する機能が切り替わる
・再生曲の場合、親指であれば前曲送り、人差し指であれば再生／一時停止、中指であれば次曲送りを行う。
・音量調整の場合、親指であれば音量アップ、人差し指であればデフォルト音量（ユーザー指定など）、中指であれば音量ダウンを行う。
・読み上げスピード調整、再生速度調整の場合、親指であればスピードアップ、人差し指であればデフォルトスピード（ユーザー指定など）、中指であればスピードダウンを行う。
(1-6)機器内の操作が切り替わる
・親指であればホーム画面（トップ画面）、人差し指であれば「決定」、中指であれば「戻る」の操作を行う。
(1-7)起動するアプリを切り替える
・親指であればメール、人差し指であればメッセンジャー、中指であればソーシャルネットワークを起動する。
(2)操作する指の動きやジェスチャから機能やアプリケーションを起動する／切り替える
・親指であればスクロール、人差指であればジェスチャ入力、中指であればポインティングなど機能を分ける。
(3)操作する指の順番から機能やアプリを起動する／切り替える
(4)操作する指の操作者を特定し(個人化)、アプリや機能の起動や設定値を切り替える。
・例えば、ウェアラブル機器が服などの身体に装着するものの場合、特定された個人の服のサイズに変わる、特定された個人の発汗量や体温にあわせて服の生地の形状が変わるなども実現可能である。
・共有デバイスの個人認証
共有デバイスとして、家族用タブレット、ＰＣ、マウス、ゲーム機のコントローラ、メガネなどが挙げられる。メガネの場合、フレームもしくはボタンなどに指紋センサーを設け、メガネをかけると認証されるようにする。
(5)短押し／長押し／連続押しに応じて機能やアプリの起動／切替を行う。
・再生コンテンツの場合、短押しで再生／一時停止、長押しで再生スピード変更、連続押しでチャプター送りを行う。
(6)押圧力に応じて機能やアプリの起動／切替を行う。
・カメラのズームであれば、軽く押した場合は１段階ズーム、強く押した場合は数段階（連続）ズームを行う。
【００４１】
また、更に、指紋情報に基づいて以下のような処理を行っても良い。ウェアラブル機器がペン型のデバイスの場合、ペン自体に指紋センサを搭載し、ペンを握ったら認証を行う。この際、なぞる操作だけではなくフリックのようなはじく操作でも指紋認証を行うようにしても良い。
【００４２】
また、その他のセンサー１０４として温度センサーを備える場合は、指紋認証と温度センサー（体温計測）などを組み合わせることで、擬人指（人工物等）の指から認証しようとした場合に、擬人指からは体温が測定されないため、認証が行われてしまうことを回避できる。また、擬人指を排除するため指紋から右手、左手の判定、操作指の判定を行い、ＧＵＩを指に寄せたり、操作エリアの自動変更を行っても良い。更に、操作指ごとに触った座標位置を補正したり、操作指ごとに触った位置の補正係数を変えても良い。また、認証結果に応じて画面の一部のフォルダにロックをかけたり、画面にタッチした時に指紋認証を行うようにしても良い。
【００４３】
また、指紋登録時に年齢登録を行い、年齢認証機能を持たせるようにしても良い。この場合に、指紋登録時にユーザがタッチパネル１０６を操作して、年齢を登録する。指紋情報に紐付けて年齢情報を登録しておくことで、指紋認証時に指紋情報から年齢情報が得られ、ユーザが子供であれば子供向けＷｅｂサイトのみ表示する。また、ユーザが高齢者であれば、高齢者向けの大きな文字表示の簡単なＵＩを表示する。
【００４４】
また、その他のセンサー１０４として位置センサー（ＧＰＳ）を備える場合は、場所や時間などの状況に応じてセキュリティの度合いを変えることもできる。例えば、家や会社外ではセキュリティは強いが、家や会社の中に入るとセキュリティが弱くなるようにする。例えば、指紋センサーなど生体認証は１００％成功するわけではないので、パスワードと組み合わせて認証を行うが、指紋照合部１１４による認証では、家や会社外ではパスワードの入力を必須とし、家や会社の中に入るとパスワードの入力を不要とする。また、ＶＲのコントローラなどに指紋認証を付けることで、誰がどのように操作したのかが分かるので、ゲームのインタラクションや各個人の得点などに活用する。
【００４５】
また、その他のセンサーとして指の色を検出するセンサーを備える場合は、指による押圧力が大きくなるほど指が赤色に変色するため、指の色の変化を利用して押圧力（指圧）を取得することも可能であり、押圧力に応じて定められた所定の処理を行うことも可能である。
【００４６】
以上説明したように本実施形態によれば、指紋情報に基づいて指の動作を判定し、判定結果に基づいてスマートウォッチ１００が実行可能な所定の処理を行うようにしたため、操作するスペースを最小限に抑えることができる。これにより、小型のウェアラブル機器であっても、操作に応じた所望の動作を行うことが可能となる。
【００４７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００４８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００４９】
なお、以下のような構成も本開示の技術的範囲に属する。
（１）  指紋情報を取得する指紋情報取得部と、
前記指紋情報に基づいて指の動作を判定する判定部と、
判定された前記動作に基づいて、前記動作に応じて予め定められた所定の処理を行う処理部と、
を備える、情報処理装置。
（２）  前記判定部は、予め登録された登録指紋情報と前記指紋情報を比較することで、前記動作を判定する、前記（１）に記載の情報処理装置。
（３）  前記判定部は、前記指紋情報に基づいて指の傾きを判定する、前記（１）又は（２）に記載の情報処理装置。
（４）  前記判定部は、指が傾いた状態で予め登録された登録指紋情報と前記指紋情報を比較して前記傾きを判定する、前記（３）に記載の情報処理装置。
（５）  前記指紋情報取得部は、指が接触する接触面を有する指紋センサーから前記指紋情報を取得し、
前記判定部は、前記指紋情報に基づいて前記接触面に沿った指の動きを判定する、前記（１）又は（２）に記載の情報処理装置。
（６）  前記指紋情報取得部は、前記指紋情報を検出する複数の指紋センサーから前記指紋情報を取得し、
前記判定部は、複数の前記指紋センサーから検出された前記指紋情報に基づいて、前記動作を判定する、前記（１）〜（５）のいずれかに記載の情報処理装置。
（７）  前記判定部は、複数の前記指紋センサーから検出された前記指紋情報を比較することで、指の傾きを判定する、前記（６）に記載の情報処理装置。
（８）  前記指紋情報が予め登録された登録指紋情報と一致するか否かを認証する認証部を備え、
前記判定部は、前記認証が成功した場合に、前記判定を行う、前記（１）〜（７）のいずれかに記載の情報処理装置。
（９）  前記認証部は、前記指紋情報が前記登録指紋情報と一致するか否かに加え、入力されたパスワードが登録されたパスワードと一致するか否かに応じて前記認証を行う、前記（８）に記載の情報処理装置。
（１０）  前記処理部は、前記動作とともに前記指紋情報から得られる指の種類の情報に基づいて前記所定の処理を行う、前記（１）〜（９）のいずれかに記載の情報処理装置。
（１１）  前記判定部は、前記指紋情報と、前記指紋情報を検出する指紋センサー以外の他のセンサーから得られたセンサー情報に基づいて前記判定を行う、前記（１）〜（１０）のいずれかに記載の情報処理装置。
（１２）  前記他のセンサーは、位置センサー、温度センサー、又は指圧センサーである、前記（１１）に記載の情報処理装置。
（１３）  前記所定の処理は、前記動作に応じて予め定められた所定のアプリケーションを起動する処理である、前記（１）〜（１２）のいずれかに記載の情報処理装置。
（１４）  前記所定の処理は、前記動作に応じて予め定められた文字入力機能に関する処理である、前記（１）〜（１２）のいずれかに記載の情報処理装置。
（１５）  前記所定の処理は、前記動作に応じて予め定められた表示画面を遷移させる処理である、前記（１）〜（１２）のいずれかに記載の情報処理装置。
（１６）  前記判定部は、前記指紋情報に基づいて前記動作として指の押圧力を判定する、前記（１）〜（１５）のいずれかに記載の情報処理装置。
（１７）  指紋情報を取得することと、
前記指紋情報に基づいて指の動作を判定することと、
判定された前記動作に基づいて、前記動作に応じて予め定められた所定の処理を行うことと、
を備える、情報処理方法。
（１８）  指紋情報を取得する手段、
前記指紋情報に基づいて指の動作を判定する手段、
判定された前記動作に基づいて、前記動作に応じて予め定められた所定の処理を行う手段、
としてコンピュータを機能させるためのプログラム。
【符号の説明】
【００５０】
１００    スマートウォッチ
１１２    指紋情報取得部
１１４    指紋照合部
１１６    指紋判定部
１１８    処理部
【図１】
2018079001.tif 000003
【図２】
2018079001.tif 000004
【図３】
2018079001.tif 000005
【図４】
2018079001.tif 000006
【図５】
2018079001.tif 000007
【図６】
2018079001.tif 000008
【図７】
2018079001.tif 000009
【図８】
2018079001.tif 000010
【図９】
2018079001.tif 000011
【図１０】
2018079001.tif 000012
【図１１】
2018079001.tif 000013
【図１２Ａ】
2018079001.tif 000014
【図１２Ｂ】
2018079001.tif 000015
【国際調査報告】
2018079001.tif 000016
2018079001.tif 000017
2018079001.tif 000018
2018079001.tif 000019